(57)【要約】【課題】実弾を発射できるような違法改造が不能で、弾の不用意な発射を確実に防止でき、外観上の体裁が良く、モデルガンとしての再現性や趣味性を十分満足でき、構成が簡素で、量産し易く、経済的なカートリッジ及び作動装置を提供する。【解決手段】ケース２２と、ケース２２に内装するガスタンクと、ガスタンクに内装する主バルブ２９と、主バルブバネ３１と、ガスタンクの前端がわ部分に外装すると共にケース２２に内装する解放筒３３と、解放筒３３を貫通すると共に、ガスタンクの一対の長孔２５ａに挿通する押圧軸３４とを備え、引金３６に連繋した解放筒３３の後方への摺動動作、或いは解放筒３３を除くカートリッジの前方への移動動作で、押圧軸３４が主バルブバネ３１の弾発力に抗して主バルブ２９を後方に移動させ、ガスタンク内の開閉部を開放し、気蓄したガスの噴出で弾３８を発射できるよう構成する。【選択図】図３
2009174772.tif 000002
【特許請求の範囲】
【請求項１】
リボルバー式玩具ガス銃に於いて、回転する弾倉に装填可能に形成されると共に、セットされた弾を気蓄されたガスの噴出圧力によって発射できるように構成されたカートリッジであって、カートリッジの外周壁部分を構成する略円筒状のケースと、このケースに内装されると共に、その内部にガスを気蓄可能なガスタンクと、このガスタンク内を前後方向に移動可能となるよう収納されると共に、ガスタンク内の開閉部を開閉自在な主バルブと、ガスタンク内に縮装されると共に、主バルブを前方に押圧して、ガスタンク内の開閉部を主バルブが常時閉鎖するようにその弾発力を付勢する主バルブバネと、その一部或いは全てがガスタンクの前端がわ部分に外装されると共にケースに内装されて、前後方向に摺動自在な略円筒状の解放筒と、この解放筒を貫通すると共に、ガスタンクの前端寄り周壁部分に穿設した前後方向に長い一対の長孔に挿通される押圧軸とを備え、銃本体の引金に連繋した解放筒の後方への摺動動作、或いは解放筒を除くカートリッジの前方への移動動作により、押圧軸が主バルブバネの弾発力に抗して主バルブを後方に移動させ、ガスタンク内の開閉部を開放せしめ、ガスタンク内の気蓄されたガスの噴出によって、開閉部前方に予めセットされた弾を発射できるように構成したことを特徴とするリボルバー式玩具ガス銃用カートリッジ。
【請求項２】
リボルバー式玩具ガス銃に於いて、回転する弾倉に装填可能に形成されると共に、セットされた弾を気蓄されたガスの噴出圧力によって発射できるように構成されたカートリッジの作動装置であって、弾倉を外観的に模した空洞状の外装弾倉２の前端がわに内装されると共に、エキストラクターロッドを介してヨークに支持される弾倉ハウジングと、この弾倉ハウジングに組み込まれて固定される略円筒状のガイド筒と、このガイド筒に前後方向に摺動自在となるよう外装される押し部品と、カム軸を介して弾倉ハウジングに揺動自在に装着されるカムと、弾倉ハウジング内に組み込まれて、前後方向に摺動自在となると共に、前方への摺動によってカムを作動可能な伝達軸とを備え、銃本体の引金に連繋した伝達軸の前方への摺動動作により、カムが揺動して押し部品を後方に摺動させ、この押し部品がカートリッジの前端部の一部を後方に押圧して、カートリッジ内に予めセットされた弾を気蓄されたガスの噴出圧力によって発射できるように構成したことを特徴とするリボルバー式玩具ガス銃用カートリッジの作動装置。
【請求項３】
リボルバー式玩具ガス銃に於いて、回転する弾倉に装填可能に形成されると共に、セットされた弾を気蓄されたガスの噴出圧力によって発射できるように構成されたカートリッジの作動装置であって、弾倉の前端がわに内装されて、カートリッジの前端部分の一部に当接可能な押し筒と、前後方向に摺動自在となるよう銃本体に内装され、その一部がカートリッジの係止溝に係止されると共に、打撃軸によって前方に押圧できるように形成された押し爪とを備え、銃本体の引金に連繋した打撃軸の前方への摺動動作により、押し爪が前方に摺動してカートリッジを前方に摺動させ、一方、押し筒は、カートリッジの前端部分の一部に当接して、これの前方への移動を阻止することにより、カートリッジ内に予めセットされた弾を気蓄されたガスの噴出圧力によって発射できるように構成したことを特徴とするリボルバー式玩具ガス銃用カートリッジの作動装置。
【請求項４】
リボルバー式玩具ガス銃に於いて、回転する弾倉に装填可能に形成されると共に、セットされた弾を気蓄されたガスの噴出圧力によって発射できるように構成されたカートリッジの作動装置であって、弾倉の前端がわに内装されて、カートリッジの前端部分の一部に当接可能な押し筒と、前後方向に揺動自在となるよう銃本体に内装され、その一部がカートリッジの後端部に当接すると共に、その一部が前方に揺動するように引金に連繋される押し腕とを備え、銃本体の引金を作動させることにより、引金に連繋した押し腕の一部がカートリッジを前方へ移動せしめ、一方、押し筒は、カートリッジの前端部分の一部に当接して、これの前方への移動を阻止することにより、カートリッジ内に予めセットされた弾を気蓄されたガスの噴出圧力によって発射できるように構成したことを特徴とするリボルバー式玩具ガス銃用カートリッジの作動装置。
【請求項５】
リボルバー式玩具ガス銃に於いて、回転する弾倉に装填可能に形成されると共に、セットされた弾を気蓄されたガスの噴出圧力によって発射できるように構成されたカートリッジの作動装置であって、弾倉の前端がわに内装されて、カートリッジの前端部分の一部に当接可能な押し筒と、前後方向に摺動自在となるよう銃本体に内装され、その一部がカートリッジのケース後端面に当接すると共に、撃鉄によって前方に押圧できるように形成された押し腕とを備え、銃本体の引金に連繋した撃鉄の前方への揺動動作により、押し腕が前方に摺動してカートリッジを前方に摺動させ、一方、押し筒は、カートリッジの前端部分の一部に当接して、これの前方への移動を阻止することにより、カートリッジ内に予めセットされた弾を気蓄されたガスの噴出圧力によって発射できるように構成したことを特徴とするリボルバー式玩具ガス銃用カートリッジの作動装置。
【請求項６】
リボルバー式玩具ガス銃に於いて、回転する弾倉に装填可能に形成されると共に、セットされた弾を気蓄されたガスの噴出圧力によって発射できるように構成されたカートリッジの作動装置であって、弾倉を外観的に模した空洞状の外装弾倉の前端がわに内装されると共に、エキストラクターロッドを介してヨークに支持される弾倉ハウジングと、この弾倉ハウジングにカム軸を介して揺動自在に装着されるカムと、銃本体に内装され、前後方向に摺動自在となると共に、前方への摺動によってカムを作動可能な伝達軸とを備え、銃本体の引金に連繋した伝達軸の前方への摺動動作により、カムが揺動してカートリッジの解放筒の前端部分に設けた突出部を後方に押圧して、カートリッジ内に予めセットされた弾を気蓄されたガスの噴出圧力によって発射できるように構成したことを特徴とするリボルバー式玩具ガス銃用カートリッジの作動装置。
【発明の詳細な説明】
【技術分野】
【０００１】
本発明は、主に、カートリッジに球形の弾（所謂ＢＢ弾）をセットできると共にガスを気蓄せしめられ、このカートリッジを回転式の弾倉に複数装填でき、引金を引くと作動装置を介して所定のカートリッジに気蓄したガスを解放し、この解放されたガスの噴出圧力によって弾を発射できるように構成されているリボルバー式玩具ガス銃に於いて、実弾を発射できるような違法改造を不能とすると共に、より実銃に近い外観上の雰囲気を味わえるように工夫したリボルバー式玩具ガス銃のカートリッジ及びこのカートリッジの作動装置に関するものである。
【背景技術】
【０００２】
従来のリボルバー式玩具ガス銃にあっては、例えば、ガスを銃本体（握り部分等）に内装したガスタンク部へ気蓄し、この低圧ガスを使用して弾を飛ばすように構成されたものが数多く提供されてきた（特許文献１の図７参照）。
ところが、これはモデルガンとしての再現性（より実銃に近づけること）が低く、趣味性の強いこの種のモデルガンの愛好者にとっては十分に満足できるものとは言い難いものであった。
また、モデルガンとしての再現性が高いと言うことで、回転式弾倉に装填されるカートリッジに弾をセットし、銃本体に気蓄したガスを使用して弾を発射する構成のものが本願発明者によって提供されるようになった（特許文献１の図４、図６参照）。
ところが、これでもモデルガンとしての再現性が十分に満足できるものとは言い難いものがあった。
そして、回転式弾倉に装填されるカートリッジへガスを夫々気蓄し、カートリッジのガスを使用して弾を発射する構成のものが提供されるようになった。
ところが、前述の如きリボルバー式玩具ガス銃にあっては、比較的簡単な違法改造によって実弾を発射させることが可能であるという理由で、その製造が禁止されるようになった。すなわち、玩具銃自体の発射構造が実銃の発射構造に極めて似ていたためで、このことにより安易な違法改造で実弾を使用できる可能性が高くなってしまったためである。
【０００３】
【特許文献１】実用新案登録第３１１７２７８号公報（図７）
【発明の開示】
【発明が解決しようとする課題】
【０００４】
そこで、本発明は、実弾を使用できるような違法改造が不能であり、しかも、モデルガンとしての再現性や趣味性を十分満足できるようなリボルバー式玩具ガス銃に最適となるカートリッジと、このカートリッジに最適となる作動装置とを提供できるようにすべく開発されたものである。
【課題を解決するための手段】
【０００５】
しかして、前述の如き課題等を達成できるようにすべく、請求項１記載のリボルバー式玩具ガス銃のカートリッジにあっては、リボルバー式玩具ガス銃に於いて、回転する弾倉に装填可能に形成されると共に、セットされた弾３８を気蓄されたガスの噴出圧力によって発射できるように構成されたカートリッジであって、カートリッジの外周壁部分を構成する略円筒状のケース２２と、このケース２２に内装されると共に、その内部にガスを気蓄可能なガスタンクと、このガスタンク内を前後方向に移動可能となるよう収納されると共に、ガスタンク内の開閉部を開閉自在な主バルブ２９と、ガスタンク内に縮装されると共に、主バルブ２９を前方に押圧して、ガスタンク内の開閉部を主バルブ２９が常時閉鎖するようにその弾発力を付勢する主バルブバネ３１と、その一部或いは全てがガスタンクの前端がわ部分に外装されると共にケース２２に内装されて、前後方向に摺動自在な略円筒状の解放筒３３と、この解放筒３３を貫通すると共に、ガスタンクの前端寄り周壁部分に穿設した前後方向に長い一対の長孔２５ａに挿通される押圧軸３４とを備え、銃本体１の引金３６に連繋した解放筒３３の後方への摺動動作、或いは解放筒３３を除くカートリッジの前方への移動動作により、押圧軸３４が主バルブバネ３１の弾発力に抗して主バルブ２９を後方に移動させ、ガスタンク内の開閉部を開放せしめ、ガスタンク内の気蓄されたガスの噴出によって、開閉部前方に予めセットされた弾３８を発射できるように構成する手段を採用した。
【０００６】
また、請求項２記載のカートリッジの作動装置にあっては、リボルバー式玩具ガス銃に於いて、回転する弾倉に装填可能に形成されると共に、セットされた弾３８を気蓄されたガスの噴出圧力によって発射できるように構成されたカートリッジの作動装置であって、弾倉を外観的に模した空洞状の外装弾倉２の前端がわに内装されると共に、エキストラクターロッド４を介してヨーク３に支持される弾倉ハウジング７と、この弾倉ハウジング７に組み込まれて固定される略円筒状のガイド筒８と、このガイド筒８に前後方向に摺動自在となるよう外装される押し部品９と、カム軸１２を介して弾倉ハウジング７に揺動自在に装着されるカム１０、１１と、弾倉ハウジング７内に組み込まれて、前後方向に摺動自在となると共に、前方への摺動によってカム１０、１１を作動可能な伝達軸１５とを備え、銃本体１の引金３６に連繋した伝達軸１５の前方への摺動動作により、カム１０、１１が揺動して押し部品９を後方に摺動させ、この押し部品９がカートリッジの前端部の一部を後方に押圧して、カートリッジ内に予めセットされた弾３８を気蓄されたガスの噴出圧力によって発射できるように構成する手段を採用した。
【０００７】
更に、請求項３記載のカートリッジの作動装置にあっては、リボルバー式玩具ガス銃に於いて、回転する弾倉に装填可能に形成されると共に、セットされた弾３８を気蓄されたガスの噴出圧力によって発射できるように構成されたカートリッジの作動装置であって、弾倉の前端がわに内装されて、カートリッジの前端部分の一部に当接可能な押し筒４２と、前後方向に摺動自在となるよう銃本体１に内装され、その一部がカートリッジの係止溝２２ａに係止されると共に、打撃軸３７によって前方に押圧できるように形成された押し爪４１とを備え、銃本体１の引金３６に連繋した打撃軸３７の前方への摺動動作により、押し爪４１が前方に摺動してカートリッジを前方に摺動させ、一方、押し筒４２は、カートリッジの前端部分の一部に当接して、これの前方への移動を阻止することにより、カートリッジ内に予めセットされた弾３８を気蓄されたガスの噴出圧力によって発射できるように構成する手段を採用した。
【０００８】
そして、請求項４記載のカートリッジの作動装置にあっては、リボルバー式玩具ガス銃に於いて、回転する弾倉に装填可能に形成されると共に、セットされた弾３８を気蓄されたガスの噴出圧力によって発射できるように構成されたカートリッジの作動装置であって、弾倉の前端がわに内装されて、カートリッジの前端部分の一部に当接可能な押し筒４２と、前後方向に揺動自在となるよう銃本体１に内装され、その一部がカートリッジの後端部に当接すると共に、その一部が前方に揺動するように引金３６に連繋される押し腕４３とを備え、銃本体１の引金３６を作動させることにより、引金３６に連繋した押し腕４３の一部がカートリッジを前方へ移動せしめ、一方、押し筒４２は、カートリッジの前端部分の一部に当接して、これの前方への移動を阻止することにより、カートリッジ内に予めセットされた弾３８を気蓄されたガスの噴出圧力によって発射できるように構成する手段を採用した。
【０００９】
それから、請求項５記載のカートリッジの作動装置にあっては、リボルバー式玩具ガス銃に於いて、回転する弾倉に装填可能に形成されると共に、セットされた弾３８を気蓄されたガスの噴出圧力によって発射できるように構成されたカートリッジの作動装置であって、弾倉の前端がわに内装されて、カートリッジの前端部分の一部に当接可能な押し筒４２と、前後方向に摺動自在となるよう銃本体１に内装され、その一部がカートリッジのケース２２後端面に当接すると共に、撃鉄３５によって前方に押圧できるように形成された押し腕４４とを備え、銃本体１の引金３６に連繋した撃鉄３５の前方への揺動動作により、押し腕４４が前方に摺動してカートリッジを前方に摺動させ、一方、押し筒４２は、カートリッジの前端部分の一部に当接して、これの前方への移動を阻止することにより、カートリッジ内に予めセットされた弾３８を気蓄されたガスの噴出圧力によって発射できるように構成する手段を採用した。
【００１０】
加えて、請求項６記載のカートリッジの作動装置にあっては、リボルバー式玩具ガス銃に於いて、回転する弾倉に装填可能に形成されると共に、セットされた弾３８を気蓄されたガスの噴出圧力によって発射できるように構成されたカートリッジの作動装置であって、弾倉を外観的に模した空洞状の外装弾倉２の前端がわに内装されると共に、エキストラクターロッド４を介してヨーク３に支持される弾倉ハウジング７と、この弾倉ハウジング７にカム軸１２を介して揺動自在に装着されるカム１０、１１と、銃本体１に内装され、前後方向に摺動自在となると共に、前方への摺動によってカム１０、１１を作動可能な伝達軸１５とを備え、銃本体１の引金３６に連繋した伝達軸１５の前方への摺動動作により、カム１０、１１が揺動してカートリッジの解放筒３３の前端部分に設けた突出部３３ａを後方に押圧して、カートリッジ内に予めセットされた弾３８を気蓄されたガスの噴出圧力によって発射できるように構成する手段を採用した。
【発明の効果】
【００１１】
従って、請求項１のカートリッジによれば、その構成部品の殆どがケース２２に内装されるため、より外観上の体裁が良いカートリッジとなり、モデルガンとしての再現性や趣味性を十分満足できるようになる。
しかも、構成が比較的簡素となり、量産し易く、経済的なカートリッジとなる。
特に、押圧軸３４が貫通状に配されており、実弾を発射できるような違法改造が不能となる。
加えて、解放筒３３がケース２２内に収まるように形成してある場合は、外観上の体裁が更に良くなると共に、不意の外力等によって解放筒３３を誤って押圧するようなことがなくなり、弾３８の不用意な発射を確実に防止できるリボルバー式玩具ガス銃に最適なカートリッジとなる。
【００１２】
また、請求項２のカートリッジの作動装置によれば、その構成部品の殆どが外装弾倉２や銃本体１に内装されるため、より外観上の体裁が良いカートリッジの作動装置となり、モデルガンとしての再現性や趣味性を十分満足できるようになる。
しかも、構成が比較的簡素となり、量産し易く、経済的なカートリッジの作動装置となる。
特に、銃本体１の引金３６に連繋した伝達軸１５の前方への摺動動作により、カム１０、１１が揺動して押し部品９を後方に摺動させ、この押し部品９がカートリッジの前端部の一部を後方に押圧して、カートリッジ内に予めセットされた弾３８を気蓄されたガスの噴出圧力によって発射できるように構成したので、実弾を発射できるような違法改造を不能とすることができるカートリッジの作動装置となる。
【００１３】
更に、請求項３のカートリッジの作動装置によれば、その構成部品の殆どが外装弾倉２や銃本体１に内装されるため、より外観上の体裁が良いカートリッジの作動装置となり、モデルガンとしての再現性や趣味性を十分満足できるようになる。
しかも、構成が極めて簡素となり、量産し易く、経済的なカートリッジの作動装置となる。
特に、銃本体１の引金３６に連繋した打撃軸３７の前方への摺動動作により、押し爪４１が前方に摺動してカートリッジを前方に摺動させ、一方、押し筒４２は、カートリッジの前端部分の一部に当接して、これの前方への移動を阻止することにより、カートリッジ内に予めセットされた弾３８を気蓄されたガスの噴出圧力によって発射できるように構成したので、実弾を発射できるような違法改造を不能とすることができるカートリッジの作動装置となる。
【００１４】
そして、請求項４のカートリッジの作動装置によれば、その構成部品の殆どが外装弾倉２や銃本体１に内装されるため、より外観上の体裁が良いカートリッジの作動装置となり、モデルガンとしての再現性や趣味性を十分満足できるようになる。
しかも、構成が極めて簡素となり、量産し易く、経済的なカートリッジの作動装置となる。
特に、銃本体１の引金３６を作動させることにより、引金３６に連繋した押し腕４３の一部がカートリッジを前方へ移動せしめ、一方、押し筒４２は、カートリッジの前端部分の一部に当接して、これの前方への移動を阻止することにより、カートリッジ内に予めセットされた弾３８を気蓄されたガスの噴出圧力によって発射できるように構成したので、実弾を発射できるような違法改造を不能とすることができるカートリッジの作動装置となる。
【００１５】
それから、請求項５のカートリッジの作動装置によれば、その構成部品の殆どが外装弾倉２や銃本体１に内装されるため、より外観上の体裁が良いカートリッジの作動装置となり、モデルガンとしての再現性や趣味性を十分満足できるようになる。
しかも、構成が極めて簡素となり、量産し易く、経済的なカートリッジの作動装置となる。
特に、銃本体１の引金３６に連繋した撃鉄３５の前方への揺動動作により、押し腕４４が前方に摺動してカートリッジを前方に摺動させ、一方、押し筒４２は、カートリッジの前端部分の一部に当接して、これの前方への移動を阻止することにより、カートリッジ内に予めセットされた弾３８を気蓄されたガスの噴出圧力によって発射できるように構成したので、実弾を発射できるような違法改造を不能とすることができるカートリッジの作動装置となる。
【００１６】
加えて、請求項６のカートリッジの作動装置によれば、その構成部品の殆どが外装弾倉２や銃本体１に内装されるため、より外観上の体裁が良いカートリッジの作動装置となり、モデルガンとしての再現性や趣味性を十分満足できるようになる。
しかも、構成が比較的簡素となり、量産し易く、経済的なカートリッジの作動装置となる。
特に、銃本体１の引金３６に連繋した伝達軸１５の前方への摺動動作により、カム１０、１１が揺動してカートリッジの解放筒３３の前端部分に設けた突出部３３ａを後方に押圧して、カートリッジ内に予めセットされた弾３８を気蓄されたガスの噴出圧力によって発射できるように構成したので、実弾を発射できるような違法改造を不能とすることができるカートリッジの作動装置となる。
【発明を実施するための最良の形態】
【００１７】
以下、本発明を説明すると、次の通りである。
先ず、本発明のカートリッジは、リボルバー式玩具ガス銃に於いて、回転する弾倉に装填可能に形成されると共に、セットされた弾３８を気蓄されたガスの噴出圧力によって発射できるように構成されたものである。
具体的には、カートリッジの外周壁部分を構成する略円筒状のケース２２と、このケース２２に内装されると共に、その内部にガスを気蓄可能なガスタンクと、このガスタンク内を前後方向に移動可能となるよう収納されると共に、ガスタンク内の開閉部を開閉自在な主バルブ２９と、ガスタンク内に縮装されると共に、主バルブ２９を前方に押圧して、ガスタンク内の開閉部を主バルブ２９が常時閉鎖するようにその弾発力を付勢する主バルブバネ３１と、その一部或いは全てがガスタンクの前端がわ部分に外装されると共にケース２２に内装されて、前後方向に摺動自在な略円筒状の解放筒３３と、この解放筒３３を貫通すると共に、ガスタンクの前端寄り周壁部分に穿設した前後方向に長い一対の長孔２５ａに挿通される押圧軸３４とを備えたものである。
そして、銃本体１の引金３６に連繋した解放筒３３の後方への摺動動作、或いは解放筒３３を除くカートリッジの前方への移動動作により、押圧軸３４が主バルブバネ３１の弾発力に抗して主バルブ２９を後方に移動させ、ガスタンク内の開閉部を開放せしめ、ガスタンク内の気蓄されたガスの噴出によって、開閉部前方に予めセットされた弾３８を発射できるように構成されている。
【００１８】
また、本発明のカートリッジの作動装置は、弾倉を外観的に模した空洞状の外装弾倉２の前端がわに内装されると共に、エキストラクターロッド４を介してヨーク３に支持される弾倉ハウジング７と、この弾倉ハウジング７に組み込まれて固定される略円筒状のガイド筒８と、このガイド筒８に前後方向に摺動自在となるよう外装される押し部品９と、カム軸１２を介して弾倉ハウジング７に揺動自在に装着されるカム１０、１１と、弾倉ハウジング７内に組み込まれて、前後方向に摺動自在となると共に、前方への摺動によってカム１０、１１を作動可能な伝達軸１５とを備えたものである。
そして、銃本体１の引金３６に連繋した伝達軸１５の前方への摺動動作により、カム１０、１１が揺動して押し部品９を後方に摺動させ、この押し部品９がカートリッジの前端部の一部を後方に押圧して、カートリッジ内に予めセットされた弾３８を気蓄されたガスの噴出圧力によって発射できるように構成されている。
【００１９】
更に、本発明の他のカートリッジの作動装置は、弾倉の前端がわに内装されて、カートリッジの前端部分の一部に当接可能な押し筒４２と、前後方向に摺動自在となるよう銃本体１に内装され、その一部がカートリッジの係止溝２２ａに係止されると共に、打撃軸３７によって前方に押圧できるように形成された押し爪４１とを備えたものである。
そして、銃本体１の引金３６に連繋した打撃軸３７の前方への摺動動作により、押し爪４１が前方に摺動してカートリッジを前方に摺動させ、一方、押し筒４２は、カートリッジの前端部分の一部に当接して、これの前方への移動を阻止することにより、カートリッジ内に予めセットされた弾３８を気蓄されたガスの噴出圧力によって発射できるように構成されている。
【００２０】
それから、本発明の他のカートリッジの作動装置は、弾倉の前端がわに内装されて、カートリッジの前端部分の一部に当接可能な押し筒４２と、前後方向に揺動自在となるよう銃本体１に内装され、その一部がカートリッジの後端部に当接すると共に、その一部が前方に揺動するように引金３６に連繋される押し腕４３とを備えたものである。
そして、銃本体１の引金３６を作動させることにより、引金３６に連繋した押し腕４３の一部がカートリッジを前方へ移動せしめ、一方、押し筒４２は、カートリッジの前端部分の一部に当接して、これの前方への移動を阻止することにより、カートリッジ内に予めセットされた弾３８を気蓄されたガスの噴出圧力によって発射できるように構成されている。
【００２１】
加えて、本発明の他のカートリッジの作動装置は、弾倉の前端がわに内装されて、カートリッジの前端部分の一部に当接可能な押し筒４２と、前後方向に摺動自在となるよう銃本体１に内装され、その一部がカートリッジのケース２２後端面に当接すると共に、撃鉄３５によって前方に押圧できるように形成された押し腕４４とを備えたものである。
そして、銃本体１の引金３６に連繋した撃鉄３５の前方への揺動動作により、押し腕４４が前方に摺動してカートリッジを前方に摺動させ、一方、押し筒４２は、カートリッジの前端部分の一部に当接して、これの前方への移動を阻止することにより、カートリッジ内に予めセットされた弾３８を気蓄されたガスの噴出圧力によって発射できるように構成されている。
【００２２】
次に、本発明の他のカートリッジの作動装置は、弾倉を外観的に模した空洞状の外装弾倉２の前端がわに内装されると共に、エキストラクターロッド４を介してヨーク３に支持される弾倉ハウジング７と、この弾倉ハウジング７にカム軸１２を介して揺動自在に装着されるカム１０、１１と、銃本体１に内装され、前後方向に摺動自在となると共に、前方への摺動によってカム１０、１１を作動可能な伝達軸１５とを備えたものである。
そして、銃本体１の引金３６に連繋した伝達軸１５の前方への摺動動作により、カム１０、１１が揺動してカートリッジの解放筒３３の前端部分に設けた突出部３３ａを後方に押圧して、カートリッジ内に予めセットされた弾３８を気蓄されたガスの噴出圧力によって発射できるように構成されている。
【実施例】
【００２３】
次に、リボルバー式玩具ガス銃と、本発明のカートリッジと、本発明のカートリッジの作動装置とについて、図示例に基づいて説明する。
【００２４】
先ず、図１及び図２は、リボルバー式玩具ガス銃の部分分解斜視図と縦断面図を例示するもので、図中１は、リボルバー式の銃を模した銃本体である。
【００２５】
図中２は、弾倉を外観的に模した外装弾倉で、この外装弾倉２は、実銃のような薬室を備えておらず、空洞状に形成されている。更に、外装弾倉２の前端がわには、後述するヨーク３に回転自在に支持される円孔が中央に設けられると共に、この円孔の周囲に複数の弾３８の通過孔が穿設されている。しかも、外装弾倉２は、実弾を保持できるような強度と構造は備えておらず、違法改造ができないように配慮してある。更に、外装弾倉２は、銃本体１の引金３６の操作により、この形式の特徴である所定角度毎の回転動作を行うように形成されている。
【００２６】
図中３は、弾倉と銃本体１を連繋できるように形成されているヨークで、このヨーク３によって、銃本体１から弾倉を出し入れする際に、弾倉の支えとなるものである。
【００２７】
図中４は、ヨーク３の孔を貫通するエキストラクターロッドで、このエキストラクターロッド４は、その先端のネジ部が後述する弾倉ハウジング７に固定されるものである。
【００２８】
図中５は、外装弾倉２の後端がわ開口部分を塞ぐように装着されて、外装弾倉２と共に回転する弾倉蓋で、この弾倉蓋５は、カートリッジを後方から入れるための孔が複数配設されている。尚、弾倉蓋５は、実弾を保持できるような形状と強度を有しないように形成される。すなわち、違法改造ができないように配慮してある。
【００２９】
図中６は、弾倉蓋５を外装弾倉２に固定するための結合用のネジである。
【００３０】
図中７は、外装弾倉２に内装されると共に、エキストラクターロッド４を介してヨーク３によって支えられるように形成されている弾倉ハウジングで、この弾倉ハウジング７は、外装弾倉２と異なり、銃本体１にセットされると回転方向の作動はしないように形成されている。すなわち、弾倉ハウジング７のような部品を外装弾倉２に内装せしめてあることにより、実弾の装填が不可能となるように形成してある。
【００３１】
図中８は、弾倉ハウジング７に組み込まれて固定される円筒状のガイド筒で、このガイド筒８は、球状の弾３８が通過するような内径に形成されている。
【００３２】
図中９は、前後方向に摺動自在となるようにガイド筒８に外装される押し部品で、この押し部品９は、後述するカートリッジの解放筒３３を後方に押圧できるように形成されている。しかも、押し部品９は、外装弾倉２に内装せしめて、実弾の装填がより難しくなるように形成してある。
【００３３】
図中１０と１１は、カム軸１２を介して弾倉ハウジング７に揺動自在に装着される一対のカムで、この一対のカム１０、１１は、その中央の支点用軸孔部分に貫通されるカム軸１２を介してその上下端部が前後方向に揺動自在となるように形成されている。しかも、一対のカム１０、１１の上端部分は、押し部品９に係止されて、押し部品９を前後方向に移動せしめられるように形成されている。尚、一対のカム１０、１１は、銃本体１（リボルバー式玩具ガス銃）の機種（構造）によってはどちらか一方を省略しても良い。
【００３４】
図中１３は、カム軸１２の先端部分の溝に嵌着されるカム軸止で、このカム軸止１３によって、カム軸１２や一対のカム１０、１１が抜けないようにしている。
【００３５】
図中１４は、弾倉ハウジング７内に組み込まれて、前後方向に摺動自在となる押し軸で、この押し軸１４は、撃鉄３５からの圧力が打撃軸３７を介して伝達されて前方に移動し、その力が伝達軸１５を介して一対のカム１０、１１へ伝えられるように形成されたものである。尚、押し軸１４は、図示例に於いては弾倉の中心軸線上に配置してあるが、銃本体１（リボルバー式玩具ガス銃）の機種（構造）と構造によっては中心軸線を外したところへ配置しても良い。
【００３６】
前記伝達軸１５は、弾倉ハウジング７内に組み込まれて、前後方向に摺動自在となるように形成され、押し軸１４に押圧されて前方に摺動し、その前端部分で、一対のカム１０、１１の下端部分を押圧できるように形成されている。尚、この伝達軸１５部分は、押し軸１４を延長したものでも良い。
【００３７】
図中１６は、弾倉に内装されるエキストラクターで、このエキストラクター１６は、外装弾倉２と共に回転すると共に、必要に応じてエキストラクターバネ２１の弾発力に抗して後方へ摺動し、カートリッジを後方に押し出せるように形成されたもので、しかも、このエキストラクター１６は、実銃に近い雰囲気を出せるようにした部品である。尚、エキストラクター１６は、銃本体１（リボルバー式玩具ガス銃）の機種（構造）によってはなくても良い。
【００３８】
図中１７は、エキストラクターバネ２１を止めるためのバネ止めで、このバネ止め１７は、エキストラクター１６の前端部分に設けた溝部分に装着されて、エキストラクターバネ２１の前端部分に係止できるように形成されている。
【００３９】
図中１８は、エキストラクター１６と弾倉ハウジング７とを連繋させるエキストラクター止めで、このエキストラクター止め１８は、エキストラクター１６を軸心に対して垂直状に貫通すると共に、弾倉ハウジング７の後端部分に周設した溝部分に外接状に嵌まり込んで、弾倉ハウジング７とエキストラクター１６とが分離しないように形成されたものである。
【００４０】
図中１９は、エキストラクター１６の後端部分に内装される弾倉止め軸で、この弾倉止め軸１９は、弾倉全体を銃本体１に係脱自在に係止させるもので、弾倉を銃本体１に出し入れする際に、前後方向に摺動できるように形成されている。尚、弾倉止め軸１９は、銃本体１（リボルバー式玩具ガス銃）の機種（構造）によってはなくても良い。
【００４１】
図中２０は、弾倉止め軸１９を後方に押圧するようにその弾発力が常時付勢されている弾倉止め軸バネで、この弾倉止め軸バネ２０によって弾倉止め軸１９が常に後方に移動し、銃本体１に弾倉止め軸１９が係止されて、弾倉と銃本体１との係止状態を維持できるように形成したものである。尚、弾倉止め軸バネ２０は、銃本体１（リボルバー式玩具ガス銃）の機種（構造）によってはなくても良い。
【００４２】
前記エキストラクターバネ２１は、エキストラクター１６を常に弾倉の中へ納めてくように、その弾発力を常時付勢できるよう形成されている。尚、エキストラクターバネ２１は、銃本体１（リボルバー式玩具ガス銃）の機種（構造）によってはなくても良い。
【００４３】
そして、図３及び図４は、本発明のカートリッジを例示するもので、図中２２は、カートリッジの外周壁部分を構成するケースで、このケース２２は、後端がわ閉鎖板部の中央に注入バルブ２３用の孔が穿設されている略有底円筒状に形成されており、その内部に各構成部品を組み込めるよう形成されている。
【００４４】
図中２２ａは、ケース２２の後端部外周面に周設される係止溝で、この係止溝２２ａは、後述する押し爪４１の一部が係止可能となるように形成されている。
【００４５】
前記注入バルブ２３は、ケース２２の後端がわ部分に内装され、ガスを注入する際に使用されるものである。
【００４６】
図中２４は、注入バルブ２３と後述するガスタンク蓋２６の間に介装されるガスシール用のゴム製Ｏリングである。
【００４７】
図中２５は、ケース２２に内装されるガスタンクの構成部材となるガスタンク基体である。ところで、ガスタンク（ガスタンク基体２５）は、ガスを気蓄しておくと共に、弾３８を保持できるように形成されている。
【００４８】
図中２５ａは、ガスタンク基体２５の前端寄りの周壁左右部分に穿設される一対の長孔で、この長孔２５ａは、前後方向に長く形成されていると共に、後述する押圧軸３４が貫通状に挿通されて、前後方向に移動可能となるように形成される。
【００４９】
図中２５ｂは、ガスタンク基体２５の先端がわ部分に形成される溝で、この溝２５ｂは、ガスタンク基体２５の下部に於いてその外周面と内周面とが略貫通するように形成されており、溝２５ｂに装着される弾止め３２の一部が、ガスタンクの内周面部分に露出するように形成されている。すなわち、発射されるまでの弾３８を所定位置に留めておけるように構成されている。
【００５０】
図中２６は、ガスタンク基体２５の後端開口部分を塞ぐように装着されて、ガスタンク基体２５と共にガスタンクを構成するガスタンク蓋で、このガスタンク蓋２６は、ガスタンク基体２５に螺着手段によって装着されている。しかも、ガスタンク蓋２６には、前記注入バルブ２３が装着されている。
【００５１】
図中２７は、ガスタンク蓋２６とガスタンク基体２５との隙間をシールしてガスが漏れないようにしたＯリングである。
【００５２】
図中２８は、ガスタンク蓋２６の溝に装着されるゴム製のＯリングで、このＯリング２８は、その摩擦力によってガスタンク蓋２６にケース２２を適度に固定しておけるように形成されたものである。すなわち、ケース２２がガスタンク蓋２６やガスタンク基体２５から簡単に外れないように形成されたものである。
【００５３】
図中２９は、ガスタンク基体２５の前後方向中央部分に内装される主バルブで、この主バルブ２９は、通常は主バルブバネ３１の弾発力によって前方に押圧されて、ガスタンク内のガスが開閉部から漏れないように形成されていると共に、主バルブバネ３１の弾発力に抗して後退することにより、ガスタンク内のガスを開閉部から前方に放出して、弾３８を飛ばすことができるように形成されたものである。
【００５４】
図中３０は、主バルブ２９に装着されて、必要時以外はガスタンクの開閉部と主バルブ２９との隙間からガスが漏れないようするＯリングである。
【００５５】
前記主バルブバネ３１は、ガスタンク内に縮装され、主バルブ２９を前方に弾発的に押圧できるように形成されている。すなわち、ガスタンク内を主バルブ２９で確実に閉鎖してガスが前方に漏れないようにしているものである。
【００５６】
前記弾止め３２は、適度な摩擦を有するゴム材等によって略Ｏリング状に形成され、しかも、ガスタンク基体２５の溝２５ｂに装着されると共に、溝２５ｂを介してその一部がガスタンク基体２５の内周面部分に露出するように形成されている。すなわち、装填された弾３８を発射されるまでの間所定位置に保持しておけるように形成されたものである。
【００５７】
前記解放筒３３は、ガスタンク基体２５の前端部分に摺動自在に外装されると共に、ケース２２に摺動自在に内装される略円筒状に形成され、前記押し部品９によって後方に押圧されるように形成してある。しかも、解放筒３３は、ケース２２の前端から突出しないように形成されている。すなわち、カートリッジの外観上の体裁を良くすると共に、不意の外力等によって解放筒３３を誤って押圧するようなことがないように形成してある。
【００５８】
図中３３ａは、解放筒３３前端部分に設けた突出部で、この突出部３３ａは、ケース２２の前端から前方に突出するように形成したものである。尚、この突出部３３ａは、カートリッジの作動装置との関係で設けられるようになる。
【００５９】
図中３４は、解放筒３３を貫通すると共に、ガスタンク基体２５の一対の長孔２５ａに挿通される押圧軸で、この押圧軸３４は、解放筒３３が後方に押圧されたときに、主バルブ２９を主バルブバネ３１の弾発力に抗して後退させて、ガスタンク内の気蓄したガスを開閉部から前方に噴出して弾３８を発射できるように形成されたものである。
【００６０】
前記撃鉄３５は、銃本体１の所定位置に揺動自在に装着され、この撃鉄３５は、引金３６を引くことによって前方に揺動するように形成されていると共に、前方に揺動することで打撃軸３７を前方に摺動せしめられるように形成されている。そして、この打撃軸３７の前方への力で、作動装置が作動するように構成されている。
【００６１】
前記弾３８は、適宜樹脂材等によって球形に形成されているもの（所謂ＢＢ弾）が利用される。
【００６２】
図中３９は、撃鉄３５に弾発力を付勢している撃鉄バネで、この撃鉄バネ３９の弾発力が解放されると、撃鉄３５を勢い良く前方に揺動できるように形成されている。
【００６３】
図中４０は、銃本体１の所定位置に配されるインサートで、このインサート４０は、硬質材料によって形成されると共に、銃本体１の成型時に埋設するように設けられるものである。すなわち、インサート４０は、弾倉内の中央上部に内装されているカートリッジの後方に配されており、例えば、この位置に撃針等を設けて実弾を発射できるようにする違法改造が行えないように配慮したものである。
【００６４】
図中４１は、前後方向に摺動自在となるよう銃本体１に内装されると共に、打撃軸３７によって前方に押圧できるように形成される押し爪で、この押し爪４１は、その上端部分がカートリッジのケース２２に設けた係止溝２２ａに係止されて、カートリッジを前方に移動できるように形成されている。
【００６５】
図中４２は、弾倉の前端がわに内装固定される略円筒状の押し筒で、この押し筒４２は、その内径が弾３８の外径より大きく形成されて、弾３８が通過可能となるように形成されると共に、解放筒３３の前端部分に当接できるように形成されている。すなわち、前記押し爪４１によってカートリッジが前方に移動したときに、解放筒３３のみに接触して、解放筒３３が前方に移動しないように設けられたものである。
【００６６】
図中４３は、前後方向に揺動自在となるよう銃本体１に内装される押し腕で、この押し腕４３は、その上端部がカートリッジの後端部に当接すると共に、上端部が前方に揺動するように引金３６に連繋されている。
【００６７】
図中４４は、前後方向に摺動自在となるよう銃本体１に内装される押し腕で、この押し腕４３は、略Ｌ字状を呈し、その上端部がカートリッジのケース２２後端面に当接すると共に、撃鉄３５によって前方に押圧できるように形成されている。
【００６８】
ところで、図１乃至図８に示す本発明のカートリッジの作動装置は、銃本体１の引金３６を引くと、撃鉄３５と打撃軸３７と押し軸１４を介して伝達軸１５を前方への摺動させる。この伝達軸１５の前方への摺動で、一対のカム１０、１１を揺動せしめ、一対のカム１０、１１の上部で押し部品９を後方に摺動させる。そして、押し部品９がカートリッジの解放筒３３の前端を後方に押圧するように構成されている。
しかも、解放筒３３が後方に摺動すると、押圧軸３４が主バルブ２９の前端部分を主バルブバネ３１の弾発力に抗して後方に押圧し、主バルブ２９の後退によってガスタンクの開閉部が開き、ガスタンク内に気蓄されたガスが前方に噴出されて弾３８を前方に発射する。
【００６９】
また、図９及び図１０に示す本発明の他のカートリッジの作動装置は、銃本体１の引金３６を引くと、撃鉄３５と打撃軸３７を介して押し爪４１を前方への摺動させる。この押し爪４１の前方への摺動で、カートリッジのケース２２の係止溝２２ａに係止されている上端部分がカートリッジを前方に移動させる。一方、押し筒４２は解放筒３３の前端部分に当接しており、解放筒３３の前方への移動を阻止している。すると、解放筒３３に固定してある押圧軸３４は、主バルブ２９の前方への移動を主バルブバネ３１の弾発力に抗して阻止し、カートリッジのその他の部分の前方への移動によってガスタンクの開閉部が開き、ガスタンク内に気蓄されたガスが前方に噴出されて弾３８を前方に発射する。
【００７０】
更に、図１１及び図１２に示す本発明の他のカートリッジの作動装置は、銃本体１の引金３６を引くと、連繋されている押し腕４３の上端部分を前方への揺動させる。この押し腕４３の上端部分の前方への揺動で、カートリッジの後端部を前方に押圧して、カートリッジを前方に移動させる。一方、押し筒４２は解放筒３３の前端部分に当接しており、解放筒３３の前方への移動を阻止している。すると、解放筒３３に固定してある押圧軸３４は、主バルブ２９の前方への移動を主バルブバネ３１の弾発力に抗して阻止し、カートリッジのその他の部分の前方への移動によってガスタンクの開閉部が開き、ガスタンク内に気蓄されたガスが前方に噴出されて弾３８を前方に発射する。
【００７１】
そして、図１３及び図１４に示す本発明の他のカートリッジの作動装置は、銃本体１の引金３６を引くと、撃鉄３５を介して押し腕４４を前方への摺動させる。この押し腕４４の前方への摺動で、その上端部分がカートリッジの後端部を前方に押圧して、カートリッジを前方に移動させる。一方、押し筒４２は解放筒３３の前端部分に当接しており、解放筒３３の前方への移動を阻止している。すると、解放筒３３に固定してある押圧軸３４は、主バルブ２９の前方への移動を主バルブバネ３１の弾発力に抗して阻止し、カートリッジのその他の部分の前方への移動によってガスタンクの開閉部が開き、ガスタンク内に気蓄されたガスが前方に噴出されて弾３８を前方に発射する。
【００７２】
それから、図１５及び図１６に示す本発明の他の作動装置は、銃本体１の引金３６を引くと、撃鉄３５と打撃軸３７と押し軸１４を介して伝達軸１５を前方への摺動させる。この伝達軸１５の前方への摺動で、一対のカム１０、１１を揺動せしめ、一対のカム１０、１１の上部で、解放筒３３の前端に突出せしめた突出部３３ａを後方に押圧し、解放筒３３を後方に摺動できるように構成されている。
そして、解放筒３３が後方に摺動すると、押圧軸３４が主バルブ２９の前端部分を主バルブバネ３１の弾発力に抗して後方に押圧し、主バルブ２９の後退によってガスタンクの開閉部が開き、ガスタンク内に気蓄されたガスが前方に噴出されて弾３８を前方に発射する。
【００７３】
尚、リボルバー式玩具ガス銃の場合、弾倉が回転することによってカートリッジを発射位置へ順次送ることができるので、弾倉内のガスと弾数がある限り、弾３８の発射を繰り返すことができる。
【００７４】
ところで、リボルバー式玩具ガス銃の具体的構成、形状、寸法、材質、カートリッジの具体的構成、形状、寸法、材質、作動装置の具体的構成、形状、寸法、材質、銃本体１の具体的構成、形状、寸法、材質、外装弾倉２の具体的構成、形状、寸法、材質、ヨーク３の具体的構成、形状、寸法、材質、エキストラクターロッド４の具体的構成、形状、寸法、材質、弾倉の具体的構成、形状、寸法、材質、弾倉蓋５の具体的構成、形状、寸法、材質、ネジ６の具体的構成、形状、寸法、材質、弾倉ハウジング７の具体的構成、形状、寸法、材質、ガイド筒８の具体的構成、形状、寸法、材質、押し部品９の具体的構成、形状、寸法、材質、カム１０、１１の具体的構成、形状、寸法、材質、配設位置、数、カム軸１２の具体的構成、形状、寸法、材質、カム軸止１３の具体的構成、形状、寸法、材質、押し軸１４の具体的構成、形状、寸法、材質、配設位置、伝達軸１５の具体的構成、形状、寸法、材質、配設位置、エキストラクター１６の具体的構成、形状、寸法、材質、バネ止め１７の具体的構成、形状、寸法、材質、エキストラクター止め１８の具体的構成、形状、寸法、材質、弾倉止め軸１９の具体的構成、形状、寸法、材質、弾倉止め軸バネ２０の具体的構成、形状、寸法、材質、エキストラクターバネ２１の具体的構成、形状、寸法、材質、ケース２２の具体的構成、形状、寸法、材質、係止溝２２ａの具体的構成、形状、寸法、配設位置、注入バルブ２３の具体的構成、形状、寸法、材質、配設位置、Ｏリング２４の具体的構成、形状、寸法、材質、配設位置、ガスタンク基体２５の具体的構成、形状、寸法、材質、長孔２５ａの具体的形状、寸法、配設位置、ガスタンク蓋２６の具体的構成、形状、寸法、材質、Ｏリング２７、２８の具体的構成、形状、寸法、材質、配設位置、主バルブ２９の具体的構成、形状、寸法、材質、配設位置、Ｏリング３０の具体的構成、形状、寸法、材質、配設位置、主バルブバネ３１の具体的構成、形状、寸法、材質、弾止め３２の具体的構成、形状、寸法、材質、配設位置、解放筒３３の具体的構成、形状、寸法、材質、配設位置、突出部３３ａの具体的構成、形状、寸法、材質、押圧軸３４の具体的構成、形状、寸法、材質、配設位置、撃鉄３５の具体的構成、形状、寸法、材質、配設位置、引金３６の具体的構成、形状、寸法、材質、打撃軸３７の具体的構成、形状、寸法、材質、配設位置、弾３８の具体的構成、形状、寸法、材質、撃鉄バネ３９の具体的構成、形状、寸法、材質、インサート４０の具体的構成、形状、寸法、材質、配設位置、押し爪４１の具体的構成、形状、寸法、材質、配設位置、押し筒４２の具体的構成、形状、寸法、材質、配設位置、押し腕４３の具体的構成、形状、寸法、材質、配設位置、押し腕４４の具体的構成、形状、寸法、材質、配設位置等は、図示例のもの等に限定されることなく適宜自由に設定、変更できるものである。
【図面の簡単な説明】
【００７５】
【図１】リボルバー式玩具ガス銃の部分分解斜視図である。
【図２】リボルバー式玩具ガス銃の縦断面図である。
【図３】カートリッジを例示する分解斜視図である。
【図４】カートリッジを例示する縦断面図である。
【図５】カートリッジの作動装置を例示する作動前の概略斜視図である。
【図６】カートリッジの作動装置を例示する作動前の概略正面図である。
【図７】カートリッジの作動装置を例示する作動後の概略斜視図である。
【図８】カートリッジの作動装置を例示する作動後の概略正面図である。
【図９】カートリッジの他の作動装置を例示する作動前の概略正面図である。
【図１０】カートリッジの他の作動装置を例示する作動後の概略正面図である。
【図１１】カートリッジの他の作動装置を例示する作動前の概略正面図である。
【図１２】カートリッジの他の作動装置を例示する作動後の概略正面図である。
【図１３】カートリッジの他の作動装置を例示する作動前の概略正面図である。
【図１４】カートリッジの他の作動装置を例示する作動後の概略正面図である。
【図１５】カートリッジの他の実施例を示す縦断面図である。
【図１６】カートリッジの他の作動装置を例示する概略正面図である。
【符号の説明】
【００７６】
１      銃本体
２      外装弾倉
３      ヨーク
４      エキストラクターロッド
５      弾倉蓋
６      ネジ
７      弾倉ハウジング
８      ガイド筒
９      押し部品
１０    カム
１１    カム
１２    カム軸
１３    カム軸止
１４    押し軸
１５    伝達軸
１６    エキストラクター
１７    バネ止め
１８    エキストラクター止め
１９    弾倉止め軸
２０    弾倉止め軸バネ
２１    エキストラクターバネ
２２    ケース
２２ａ  係止溝
２３    注入バルブ
２４    Ｏリング
２５    ガスタンク基体
２５ａ  長孔
２５ｂ  溝
２６    ガスタンク蓋
２７    Ｏリング
２８    Ｏリング
２９    主バルブ
３０    Ｏリング
３１    主バルブバネ
３２    弾止め
３３    解放筒
３３ａ  突出部
３４    押圧軸
３５    撃鉄
３６    引金
３７    打撃軸
３８    弾
３９    撃鉄バネ
４０    インサート
４１    押し爪
４２    押し筒
４３    押し腕
４４    押し腕
【図１】
2009174772.tif 000003
【図２】
2009174772.tif 000004
【図３】
2009174772.tif 000005
【図４】
2009174772.tif 000006
【図５】
2009174772.tif 000007
【図６】
2009174772.tif 000008
【図７】
2009174772.tif 000009
【図８】
2009174772.tif 000010
【図９】
2009174772.tif 000011
【図１０】
2009174772.tif 000012
【図１１】
2009174772.tif 000013
【図１２】
2009174772.tif 000014
【図１３】
2009174772.tif 000015
【図１４】
2009174772.tif 000016
【図１５】
2009174772.tif 000017
【図１６】
2009174772.tif 000018